(57)【要約】 【課題】  受信側の装置の操作者に対して、受信した画像における上下左右を誤りなく伝えることのできる画像送信装置を提供する。【解決手段】  送信側携帯電話装置１から送信画像２７を受信側携帯電話装置２に送信するとき、送信側携帯電話装置１は、送信画像２７と送信画像２７における上下左右を表す姿勢画像２８とを合成画像生成部によって合成し、生成された合成画像２９を表す画像信号を送信する。これによって受信側携帯電話装置２の表示部１１には、受信画像３０として、姿勢画像２８を含む合成画像２９が表示されるので、受信側携帯電話装置２の操作者に対して、送信画像２７における上下左右を誤りなく伝えることができる。したがって、受信側携帯電話装置２の操作者が、送信画像２７を上下左右の異なる画像として認識することを防止することができる。【選択図】      図１
2007295303.tif 000002
【特許請求の範囲】
【請求項１】
送信すべき送信画像と、前記送信画像における上下左右を表す姿勢画像とを合成し、合成画像を生成する合成画像生成手段と、
合成画像生成手段によって生成される合成画像を表す画像信号を含む信号を送信する送信手段とを含むことを特徴とする画像送信装置。
【請求項２】
送信画像に対する姿勢画像の合成位置を選択する位置選択手段と、
送信画像に対して、位置選択手段によって選択される合成位置に姿勢画像が合成されるように、合成画像生成手段を制御する制御手段とを含むことを特徴とする請求項１に記載の画像送信装置。
【請求項３】
姿勢画像は、無地の背景に文字情報が記載される画像であることを特徴とする請求項１または２に記載の画像送信装置。
【請求項４】
送信手段は、合成画像を表す画像信号とともに、合成画像における上下左右を示す姿勢情報を表す姿勢信号を送信することを特徴とする請求項１〜３のいずれか１つに記載の画像送信装置。
【請求項５】
携帯端末装置であることを特徴とする請求項１〜４のいずれか１つに記載の画像送信装置。
【請求項６】
画像を表示画面に表示可能である表示手段と、
画像送信装置から送信され、送信すべき送信画像と前記送信画像における上下左右を表す姿勢画像とが合成された合成画像を表す画像信号と、合成画像における上下左右を示す姿勢情報を表す姿勢信号とを含む信号を受信可能である受信手段と、
受信手段によって受信される姿勢信号に基づいて、表示手段の表示画面における上下左右と合成画像における上下左右とが一致するように、前記表示画面に合成画像を表示させる制御手段とを含むことを特徴とする画像受信装置。
【請求項７】
請求項１〜５のいずれか１つに記載の画像送信装置と、
前記画像送信装置から送信される合成画像を表す画像信号を含む信号を受信可能である画像受信装置とを含むことを特徴とする画像伝送システム。
【請求項８】
請求項４に記載の画像送信装置と、
請求項６に記載の画像受信装置とを含むことを特徴とする画像伝送システム。
【請求項９】
送信すべき送信画像と、前記送信画像における上下左右を表す姿勢画像とを合成し、合成画像を生成する合成画像生成ステップと、
生成された合成画像を表す画像信号を含む信号を画像送信装置によって送信する送信ステップと、
送信された合成画像を表す画像信号を含む信号を画像受信装置によって受信する受信ステップと、
受信した合成画像を表す画像信号を含む信号に基づいて、画像受信装置の表示手段の表示画面に合成画像を表示させる画像表示ステップとを含むことを特徴とする画像伝送方法。
【請求項１０】
前記送信ステップでは、
合成画像を表す画像信号とともに、合成画像における上下左右を示す姿勢情報を表す姿勢信号を画像送信装置によって送信し、
前記受信ステップでは、
合成画像を表す画像信号とともに、前記姿勢信号を画像受信装置によって受信し、
前記画像表示ステップでは、
受信した姿勢信号に基づいて、画像受信装置の表示手段の表示画面における上下左右と合成画像における上下左右とが一致するように、前記表示画面に合成画像を表示させることを特徴とする請求項９に記載の画像伝送方法。
【請求項１１】
コンピュータを請求項１〜５のいずれか１つに記載の画像送信装置として機能させるためのプログラム。
【請求項１２】
コンピュータを請求項６に記載の画像受信装置として機能させるためのプログラム。
【発明の詳細な説明】
【技術分野】
【０００１】
本発明は、画像信号を送信する画像送信装置および画像送信装置から送信される画像信号を受信する画像受信装置、ならびにそれらを用いた画像伝送システムおよび画像伝送方法、ならびにプログラムに関する。
【背景技術】
【０００２】
携帯電話装置およびＰＤＡ（Personal Digital Assistance）などの携帯端末装置は、情報を表示するために液晶ディスプレイ（Liquid Crystal Display；以後、ＬＣＤと称する）などの表示手段を備えている。表示手段を備える携帯端末装置の中には、表示手段に表示される画像を表す画像信号を送信する送信手段を備える携帯端末装置がある。送信手段を備える携帯端末装置から送信された画像信号は、受信手段を有する携帯端末装置などによって受信される。
【０００３】
従来の携帯端末装置は、画像信号を送信可能な構成にはなっているが、受信側の携帯端末装置において、送信した画像信号によって表される画像を送信側の携帯端末装置と同様の状態で表示させる構成にはなっていない。
【０００４】
たとえば図１１に示すように、送信側携帯電話装置６１から画像信号が送信され、受信側携帯電話装置６２に受信される場合、受信側携帯電話装置６２は、受信した画像信号に基づいてＬＣＤ６３に画像を表示させる。ＬＣＤ６３としては、たとえば略平板状であって操作者を臨む表示面となる厚み方向Ｚ一方側の表面が矩形状であるＬＣＤ６３が用いられる。受信側携帯電話装置６２が、ＬＣＤ６３の長手方向Ｙが操作者から見たときの上下方向Ａになるような状態で使用される場合に、送信側携帯電話装置６１からＬＣＤ６３の短手方向Ｘが画像の上下方向Ｂとなる横長の画像が送信されると、受信側携帯電話装置６２を操作する操作者（以後、受信者とも称する）は、受信者から見たときの上下方向ＡであるＬＣＤ６３の長手方向Ｙが画像の上下方向Ｂに直交する状態で受信した画像（以後、受信画像とも称する）６４を見ることになる。この状態では、受信者から見たときの上下方向ＡであるＬＣＤ６３の長手方向Ｙと、ＬＣＤ６３に表示される画像の上下方向Ｂとが一致しないので、受信者は、受信した画像における上下左右を間違って認識するおそれがある。
【０００５】
図１１に示すように送信される画像が人物像６５である場合、受信側携帯電話装置６２の操作者は、人物の頭部が胴体よりも鉛直方向上方にあると推察し、人物の頭部のある側が受信画像６４の上側であり、人物の胴体のある側が受信画像６４の下側であるというように、受信画像６４における上下左右をある程度は予測することができるかもしれない。これに対し、図１２に示すように送信画像が物体像６６、たとえば飛行機のみの画像である場合、受信側携帯電話装置６２の操作者は、飛行機の頭部の方が尾翼よりも受信画像６４の上側にあるのか、それとも下側にあるのかを判断することができないので、受信画像６４における上下左右を予測することはできない。また前述の図１１に示す人物像６５の場合であっても、実際には、受信側携帯電話装置６２の操作者が予測した受信画像６４における上下左右が間違っているおそれがある。たとえば、人物像６５が寝転んだ人を撮影した画像の場合には、受信画像６４における上下左右を取違えるおそれがある。
【０００６】
このように受信側携帯電話装置６２の操作者が、送信側携帯電話装置６１の操作者が画像の上下方向であると認識している方向を受信画像の上下方向として認識できないと、受信画像が何を表す画像であるかが判らず、送信側携帯電話装置６１の操作者の意図とは異なる画像として認識するおそれがある。たとえば、送信側携帯電話装置６１をＬＣＤ６３の短手方向Ｘが鉛直方向Ｇに一致するように横向きに配置して「下降する飛行機」を撮影した横長の画像が送信される場合、飛行機とともにビルなどの建物が撮影されていないと、受信側携帯電話装置６２の操作者は、ＬＣＤ６３の長手方向Ｙを画像の上下方向であると判断し、「急上昇する飛行機」の画像であると認識するおそれがある。
【０００７】
このような画像の上下方向と表示手段の操作者に対する上下方向との不一致に関する第１の従来技術は、特許文献１に記載されている。特許文献１に開示されている第１の従来技術は、フィルムの撮影可能な駒数などの撮影するときに必要な情報（以後、撮影情報と称する）を表示する表示手段を有するカメラに関する技術である。特許文献１に記載されているカメラの表示装置は、操作者である撮影者がカメラを構えたときの姿勢を検出する姿勢検出手段を備える。カメラを使用するときに、姿勢検出手段によって検出されるカメラの姿勢に基づいて、表示手段に表示されるカメラの撮影情報を表す画像の表示方向が、その画像における上下左右と撮影者から見たときの上下左右とが一致するように変更される。これによって撮影者は、カメラの撮影情報をより容易に見ることができる。
【０００８】
他の従来技術は、特許文献２に記載されている。特許文献２に開示されている第２の従来技術は、電子カメラシステムに関する技術である。第２の従来技術では、クレードルと呼ばれる接続装置にカメラを装着させ、クレードルを介してカメラとコンピュータなどの外部機器とを接続した状態でカメラによる撮影を行なうことによって、クレードルを介して撮影された画像を表す画像信号を外部機器に送信し、外部装置の表示手段に撮影した画像を表示させることができる。特許文献２に記載されている電子カメラシステムは、カメラが装着されるクレードルの使用の有無を検出する検出手段を有する。特許文献２に開示の電子カメラシステムでは、カメラは正立姿勢から９０°回転した姿勢でクレードルに保持されるので、検出手段によってクレードルの使用が検出されると、カメラから取得される画像が正立姿勢から９０°角変位した回転画像である旨を示す情報が外部機器に出力される。外部機器は、回転画像である旨を示す情報に基づいて、回転画像を正立させるように画像信号を処理し、表示手段に正立画像を表示させる。これによって電子カメラシステムの操作者は、クレードルを使用した状態で撮影した場合であっても、クレードルを使用していない状態で撮影した場合と同じ姿勢で、撮影された画像を見ることができる。
【０００９】
さらに他の従来技術は、特許文献３に記載されている。特許文献３に開示されている第３の従来技術は、電子スチルカメラに関する技術である。特許文献３には、一例として、電子スチルカメラなどの撮影手段とＰＨＳ（Personal Handyphone System）による通信機能を有する通信手段とを備える複合機器が記載されている。特許文献３に記載されている複合機器は、複合機器の鉛直方向に対する回転角度を検出する検出手段を有する。第３の従来技術では、検出手段によって検出される回転角度に基づいて、撮影するときの被写体の鉛直方向に合致するように、撮影された被写体画像に対して、撮影時刻および日付などの文字情報を付加する文字情報付加手段を備える。文字情報は、文字の上下方向が被写体の鉛直方向に一致するように、被写体画像に付加される。これによって複合機器の操作者である撮影者は、被写体画像とともに、容易に文字情報を視認することができる。
【００１０】
【特許文献１】特開２００１−３０５６３６号公報（第６−７頁，第７−８図）
【特許文献２】特開２００３−３０４４２３号公報（第７−８頁，第５図）
【特許文献３】特開２００４−７２７５４号公報（第１２−１３頁，第１２図）
【発明の開示】
【発明が解決しようとする課題】
【００１１】
特許文献１〜３に開示されている従来技術では、撮影された画像は、その画像を撮影した撮影者によって見られるので、画像を見る観察者は、画像における上下左右を知って、画像を見ることになる。これに対し、送信側の携帯端末装置から送信された画像信号を受信する受信装置の操作者は、送信側の携帯端末装置の操作者とは異なるので、受信した画像における上下左右を知らずに画像を見ることになる。したがって特許文献１〜３に開示の技術を用いても、受信装置の操作者が、受信した画像における上下左右を間違って認識することを防ぐことはできない。
【００１２】
たとえば、特許文献１に開示されている第１の従来技術では、撮影するときのカメラの姿勢情報に基づいて表示手段に表示されるカメラの撮影情報を表す画像の表示方向が変更されるが、受信側携帯電話装置６２のような画像を受信する側の装置には撮影情報が表示されるわけではないので、受信側の装置の操作者は、撮影情報から画像における上下左右を予測することはできない。したがって、特許文献１に開示の技術を、送信手段を有する携帯端末装置に適用したとしても、受信側の装置の操作者が受信した画像における上下左右を間違って認識することを防止することはできない。
【００１３】
特許文献２に開示されている第２の従来技術では、クレードルの使用を検出したときに、外部機器に対して、画像信号とともに画像信号で表される画像が回転画像であることを示す情報を表す信号が出力されるが、クレードルを使用しない送信側の携帯端末装置の場合には、第２の従来技術を適用しても、画像信号のみが送信されることになる。また画像信号とともに回転画像であることを示す情報を表す信号を出力し、受信側の装置で受信画像を回転させて表示させたとしても、受信側の装置の操作者は、受信した画像が回転された画像であるのか、回転されていない画像であるのかを判断することはできない。したがって受信側の装置の操作者が、受信した画像における上下左右を間違って認識することを防止することはできない。
【００１４】
特許文献３に開示の第３の従来技術では、撮影される被写体の鉛直方向と、撮影時刻および日付などの文字情報の上下方向とを合致させるように文字情報を付加する。このように文字情報が付加された画像を送信したとしても、画像を受信した装置の操作者は、文字情報の上下方向と被写体の鉛直方向とが一致していることを知らないので、受信した画像に文字情報が付加されていたとしても、受信した画像における上下左右を間違って認識するおそれがある。
【００１５】
本発明の目的は、受信側の装置の操作者に対して、受信した画像における上下左右を誤りなく伝えることのできる画像送信装置および画像受信装置、それらを用いた画像伝送システムおよび画像伝送方法、ならびにプログラムを提供することである。
【課題を解決するための手段】
【００１６】
本発明は、送信すべき送信画像と、前記送信画像における上下左右を表す姿勢画像とを合成し、合成画像を生成する合成画像生成手段と、
合成画像生成手段によって生成される合成画像を表す画像信号を含む信号を送信する送信手段とを含むことを特徴とする画像送信装置である。
【００１７】
本発明に従えば、送信すべき送信画像と、前記送信画像における上下左右を表す姿勢画像とを合成画像生成手段によって合成して合成画像を生成し、生成された合成画像を表す画像信号を含む信号を送信手段によって送信する。これによって画像受信装置は、合成画像を表す画像信号（以後、合成画像信号とも称する）を受信し、送信画像と姿勢画像とが合成された合成画像を表示手段に表示することができるので、画像受信装置を操作する操作者は、姿勢画像によって送信画像における上下左右を認識することができる。したがって、画像受信装置を操作する操作者に対して、送信画像における上下左右を誤りなく伝えることができるので、画像受信装置を操作する操作者が、送信画像を上下左右の異なる画像として認識することを防止することができる。画像は、文字、映像および図形を含む。
【００１８】
また本発明は、送信画像に対する姿勢画像の合成位置を選択する位置選択手段と、
送信画像に対して、位置選択手段によって選択される合成位置に姿勢画像が合成されるように、合成画像生成手段を制御する制御手段とを含むことを特徴とする。
【００１９】
本発明に従えば、合成画像生成手段は、送信画像に対して、位置選択手段によって選択される合成位置に姿勢画像が合成されるように、制御手段によって制御される。これによって、画像送信装置を操作する操作者は、送信画像に対して、位置選択手段によって選択された合成位置に姿勢画像を合成させることができる。したがって画像送信装置を操作する操作者は、送信画像の中の送信したい部分に姿勢画像が合成されることを防止することができるので、送信画像の中の送信したい部分が姿勢画像によって隠されることを防止し、受信する画像受信装置の操作者に対して、送信画像の中の送信したい部分を見せることができる。
【００２０】
また本発明は、姿勢画像は、無地の背景に文字情報が記載される画像であることを特徴とする。
【００２１】
本発明に従えば、姿勢画像は、無地の背景に文字情報が記載される画像である。これによって画像受信装置を操作する操作者は、姿勢画像が送信画像を背景として文字情報が重畳された画像である場合に比べて、より容易に姿勢画像に含まれる文字情報を認識することができる。したがって、たとえば文字情報として送信画像がどのような画像であるかを説明する文字情報を姿勢画像に含ませることによって、画像受信装置を操作する操作者が送信画像を上下左右の異なる画像として認識することをより確実に防止することができる。
【００２２】
また本発明は、送信手段は、合成画像を表す画像信号とともに、合成画像における上下左右を示す姿勢情報を表す姿勢信号を送信することを特徴とする。
【００２３】
本発明に従えば、送信手段は、合成画像を表す画像信号とともに、合成画像における上下左右を示す姿勢情報を表す姿勢信号を送信する。これによって画像受信装置は、受信した姿勢信号に基づいて、表示手段の表示画面における上下左右と合成画像における上下左右とが一致するように、表示手段の表示画面に合成画像を表示させることができる。したがって、画像受信装置を操作する操作者が、送信画像を上下左右の異なる画像として認識することをより確実に防止することができる。
【００２４】
また本発明は、携帯端末装置であることを特徴とする。
本発明に従えば、前記本発明の画像送信装置の効果を有する携帯端末装置を実現することができる。
【００２５】
また本発明は、画像を表示画面に表示可能である表示手段と、
画像送信装置から送信され、送信すべき送信画像と前記送信画像における上下左右を表す姿勢画像とが合成された合成画像を表す画像信号と、合成画像における上下左右を示す姿勢情報を表す姿勢信号とを含む信号を受信可能である受信手段と、
受信手段によって受信される姿勢信号に基づいて、表示手段の表示画面における上下左右と合成画像における上下左右とが一致するように、前記表示画面に合成画像を表示させる制御手段とを含むことを特徴とする画像受信装置である。
【００２６】
本発明に従えば、画像送信装置から送信され、送信すべき送信画像と送信画像における上下左右を表す姿勢画像とが合成された合成画像を表す画像信号と、合成画像における上下左右を表す姿勢情報を表す姿勢信号とが、画像受信装置の受信手段によって受信される。制御手段は、受信した姿勢画像を表す画像信号に基づいて、表示手段の表示画面における上下左右と合成画像における上下左右とが一致するように、表示手段の表示画面に表示させる。したがって、画像受信装置を操作する操作者が、送信画像を上下左右の異なる画像として認識することをより確実に防止することができる。
【００２７】
また本発明は、前記本発明の画像送信装置と、
前記画像送信装置から送信される合成画像を表す画像信号を含む信号を受信可能である画像受信装置とを含むことを特徴とする画像伝送システムである。
【００２８】
本発明に従えば、送信画像と姿勢画像とが合成された合成画像を表す画像信号を含む信号が前記本発明の画像送信装置から送信され、画像受信装置によって受信される。これによって画像受信装置は、送信画像と姿勢画像とが合成された合成画像を表示手段に表示することができるので、画像受信装置を操作する操作者は、姿勢画像によって送信画像における上下左右を認識することができる。したがって、画像受信装置を操作する操作者に対して、送信画像における上下左右を誤りなく伝えることができるので、画像受信装置を操作する操作者が、送信画像を上下左右の異なる画像として認識することを防止することができる。
【００２９】
また本発明は、前記本発明の画像送信装置と、
前記本発明の画像受信装置とを含むことを特徴とする画像伝送システムである。
【００３０】
本発明に従えば、画像送信装置の送信手段は、合成画像を表す画像信号とともに、合成画像における上下左右を示す姿勢情報を表す姿勢信号を送信する。画像受信装置の制御手段は、受信した姿勢画像を表す画像信号に基づいて、表示手段の表示画面における上下左右と合成画像における上下左右とが一致するように、表示手段の表示画面に表示させる。したがって、画像受信装置を操作する操作者が、送信画像を上下左右の異なる画像として認識することをより確実に防止することができる。
【００３１】
また本発明は、送信すべき送信画像と、前記送信画像における上下左右を表す姿勢画像とを合成し、合成画像を生成する合成画像生成ステップと、
生成された合成画像を表す画像信号を含む信号を画像送信装置によって送信する送信ステップと、
送信された合成画像を表す画像信号を含む信号を画像受信装置によって受信する受信ステップと、
受信した合成画像を表す画像信号を含む信号に基づいて、画像受信装置の表示手段の表示画面に合成画像を表示させる画像表示ステップとを含むことを特徴とする画像伝送方法である。
【００３２】
本発明に従えば、送信画像と姿勢画像とが合成画像生成ステップで合成され、合成画像が生成される。生成された合成画像を表す画像信号を含む信号が、送信ステップで画像送信装置によって送信され、受信ステップで画像受信装置によって受信される。受信された合成画像を表す画像信号を含む信号に基づいて、画像表示ステップで画像受信装置の表示手段の表示画面に合成画像が表示される。これによって画像受信装置を操作する操作者は、姿勢画像に基づいて送信画像における上下左右を認識することができる。したがって、画像受信装置を操作する操作者に対して、送信画像における上下左右を誤りなく伝えることができるので、画像受信装置を操作する操作者が、送信画像を上下左右の異なる画像として認識することを防止することができる。
【００３３】
また本発明は、前記送信ステップでは、
合成画像を表す画像信号とともに、合成画像における上下左右を示す姿勢情報を表す姿勢信号を画像送信装置によって送信し、
前記受信ステップでは、
合成画像を表す画像信号とともに、前記姿勢信号を画像受信装置によって受信し、
前記画像表示ステップでは、
受信した姿勢信号に基づいて、画像受信装置の表示手段の表示画面における上下左右と合成画像における上下左右とが一致するように、前記表示画面に合成画像を表示させることを特徴とする。
【００３４】
本発明に従えば、合成画像を表す画像信号とともに、合成画像における上下左右を示す姿勢情報を表す姿勢信号が、送信ステップで画像送信装置によって送信され、受信ステップで画像受信装置によって受信される。画像表示ステップでは、受信した姿勢信号に基づいて、表示手段の表示画面における上下左右と合成画像における上下左右とが一致するように、表示手段の表示画面に合成画像が表示される。したがって、画像受信装置を操作する操作者が、送信画像を上下左右の異なる画像として認識することをより確実に防止することができる。
【００３５】
また本発明は、コンピュータを前記本発明の画像送信装置として機能させるためのプログラムである。
【００３６】
本発明に従えば、本発明のプログラムをコンピュータに実行させることによって、コンピュータを前記本発明の画像送信装置として機能させることができる。したがって、画像受信装置を操作する操作者が、送信画像を上下左右の異なる画像として認識することを防止することのできる画像送信装置を実現することができる。
【００３７】
また本発明は、コンピュータを前記本発明の画像受信装置として機能させるためのプログラムである。
【００３８】
本発明に従えば、本発明のプログラムをコンピュータに実行させることによって、コンピュータを前記本発明の画像受信装置として機能させることができる。したがって、操作者が、受信した画像を上下左右の異なる画像として認識することを防止することのできる画像受信装置を実現することができる。
【発明の効果】
【００３９】
本発明によれば、画像受信装置を操作する操作者は、姿勢画像によって送信画像における上下左右を認識することができる。したがって、画像受信装置を操作する操作者に対して、送信画像における上下左右を誤りなく伝えることができるので、画像受信装置を操作する操作者が、送信画像を上下左右の異なる画像として認識することを防止することができる。
【００４０】
また本発明によれば、画像送信装置を操作する操作者は、送信画像に対して、位置選択手段によって選択された合成位置に姿勢画像を合成させることができる。したがって画像送信装置を操作する操作者は、送信画像の中の送信したい部分に姿勢画像が合成されることを防止することができるので、送信画像の中の送信したい部分が姿勢画像によって隠されることを防止し、受信する画像受信装置の操作者に対して、送信画像の中の送信したい部分を見せることができる。
【００４１】
また本発明によれば、画像受信装置を操作する操作者は、姿勢画像が送信画像を背景として文字情報が重畳された画像である場合に比べて、より容易に姿勢画像に含まれる文字情報を認識することができる。したがって、たとえば文字情報として送信画像がどのような画像であるかを説明する文字情報を姿勢画像に含ませることによって、画像受信装置を操作する操作者が送信画像を上下左右の異なる画像として認識することをより確実に防止することができる。
【００４２】
また本発明によれば、画像受信装置は、受信した姿勢信号に基づいて、表示手段の表示画面における上下左右と合成画像における上下左右とが一致するように、表示手段の表示画面に合成画像を表示させることができる。したがって、画像受信装置を操作する操作者が、送信画像を上下左右の異なる画像として認識することをより確実に防止することができる。
【００４３】
また本発明によれば、画像受信装置を操作する操作者が、携帯端末装置から送信される送信画像を上下左右の異なる画像として認識することを防止することのできる携帯端末装置を実現することができる。
【００４４】
また本発明によれば、画像受信装置を操作する操作者が、送信画像を上下左右の異なる画像として認識することをより確実に防止することができる。
【００４５】
また本発明によれば、画像受信装置は、送信画像と姿勢画像とが合成された合成画像を表示手段に表示することができるので、画像受信装置を操作する操作者は、姿勢画像によって送信画像における上下左右を認識することができる。したがって、画像受信装置を操作する操作者に対して、送信画像における上下左右を誤りなく伝えることができるので、画像受信装置を操作する操作者が、送信画像を上下左右の異なる画像として認識することを防止することができる。
【００４６】
また本発明によれば、画像受信装置を操作する操作者が、送信画像を上下左右の異なる画像として認識することをより確実に防止することができる。
【００４７】
また本発明によれば、画像受信装置を操作する操作者は、姿勢画像に基づいて送信画像における上下左右を認識することができる。したがって、画像受信装置を操作する操作者に対して、送信画像における上下左右を誤りなく伝えることができるので、画像受信装置を操作する操作者が、送信画像を上下左右の異なる画像として認識することを防止することができる。
【００４８】
また本発明によれば、画像受信装置を操作する操作者が、送信画像を上下左右の異なる画像として認識することをより確実に防止することができる。
【００４９】
また本発明によれば、画像受信装置を操作する操作者が、送信画像を上下左右の異なる画像として認識することを防止することのできる画像送信装置を実現することができる。
【００５０】
また本発明によれば、操作者が、受信した画像を上下左右の異なる画像として認識することを防止することのできる画像受信装置を実現することができる。
【発明を実施するための最良の形態】
【００５１】
図１は、本発明の第１の実施形態である送信側携帯電話装置１を含む画像伝送システム３の構成を簡略化して示す正面図である。送信側携帯電話装置１は、画像送信装置に相当する。送信側携帯電話装置１は、受信側携帯電話装置２とともに、本発明の第２の実施形態である画像伝送システム３を構成する。受信側携帯電話装置２は、画像受信装置に相当する。送信側携帯電話装置１および受信側携帯電話装置２は、携帯端末装置である。図１に示すように、送信側携帯電話装置１は、表示部１１、操作部１２、カメラモジュール１３およびＳＤ（Secure Digital）カードスロット１４を備える折り畳み可能な携帯電話装置である。
【００５２】
表示部１１は、カメラモジュール１３で撮影された映像、ＳＤカードスロット１４に挿入されるＳＤカードから読出された画像および操作部１２によって入力された文字などの情報を表示画面に表示する。送信側携帯電話装置１の操作者は、送信側携帯電話装置１における種々の操作状況を表示部１１の表示画面にて確認して送信側携帯電話装置１を操作することができる。たとえば後述する送信部２０から送信すべき送信画像を表す画像信号を送信する場合、送信側携帯電話装置１の操作者は、表示部１１の表示画面に送信画像を表示させて確認することができる。表示部１１は、たとえばカラー液晶ディスプレイ（
Liquid Crystal Display；以後、ＬＣＤと称する）で実現される。本実施形態において表示部１１は、略平板状であって、表示画面である厚み方向Ｚ一方側の表面が略矩形状である。表示部１１は、厚み方向Ｚ一方側の表面が操作者を臨むように配置されて使用される。表示部１１は、表示手段に相当する。
【００５３】
操作部１２は、操作者による操作によって所定の情報を入力する。操作部１２は、数字データ、文字データおよび送信側携帯電話装置１への命令などを入力する複数のキーによって実現される。操作部１２には、たとえば、送信側携帯電話装置１の電源をオン（ＯＮ）またはオフ（ＯＦＦ）する電源キーなどがある。また送信側携帯電話装置１への命令を入力するキーには、送信側携帯電話装置１にカメラモジュール１３による撮影を命令するシャッタキーなどが含まれる。
【００５４】
カメラモジュール１３は、到来した光を電気信号に変換して、画像データを生成させることによって、風景および人物などを撮影する。このように送信側携帯電話装置１は、カメラモジュール１３によって、風景および人物などの被写体を撮影可能な撮影機能付携帯電話装置である。カメラモジュール１３は、たとえば電荷結合素子（Charge Coupled
Device；略称ＣＣＤ）カメラモジュールまたはＣＭＯＳ（Complementary Metal-Oxide
Semiconductor）カメラモジュールによって実現される。カメラモジュール１３で撮影された映像の画像データは、後述するメモリ１８またはＳＤカードスロット１４内のＳＤカードなどに記憶される。
【００５５】
ＳＤカードスロット１４は、外部記憶手段であるＳＤカードを挿入可能に形成される。ＳＤカードスロット１４に挿入されるＳＤカードには、たとえば文字データ、画像データおよびアプリケーションソフトウエアのプログラムなどの情報が記憶される。ＳＤカードに記憶されている情報は、後述するＣＰＵ１５によって読出され、送信側携帯電話装置１で利用される。たとえばカメラモジュール１３またはデジタルカメラなどの外部撮影機器で撮影された人物像などの映像の画像データをＳＤカードに記憶させておけば、操作者は、操作部１２の操作などによってＳＤカードから画像データを読出し、その画像データに基づいて、撮影された画像を表示部１１の表示画面に表示させて確認することができる。またＳＤカードに記憶される画像データなどの情報は、操作者による操作部１２の操作などによって読み出され、後述する送信部２０によって送信される。またＳＤカードには、後述する受信部２１で受信される画像データなどの情報を記憶させることもできる。
【００５６】
送信側携帯電話装置１は、表示部１１、操作部１２およびカメラモジュール１３が同一側の面に設置されている。送信側携帯電話装置１は、表示部１１、操作部１２およびカメラモジュール１３が設置されている側の面が正面であり、表示部１１、操作部１２およびカメラモジュール１３が設置されている面と反対側の面が背面である。
【００５７】
図２は、本発明の第１の実施形態である送信側携帯電話装置１の電気的構成を示すブロック図である。図２に示すように、送信側携帯電話装置１は、表示部１１、操作部１２、カメラモジュール１３、ＳＤカードスロット１４、中央処理装置（Central Processing
Unit；略称ＣＰＵ）１５、合成画像生成部１６、位置選択部１７、メモリ１８、アンテナ１９、送信部２０、受信部２１、通信制御部２２、レシーバ２３、マイク２４、音声制御部２５および図示しない表示信号生成部を備える。ＣＰＵ１５、通信制御部２２および音声制御部２５は、制御部２６を構成する。制御部２６は、たとえばマイクロコンピュータなどの処理回路によって実現される。制御部２６は、制御手段に相当する。
【００５８】
制御部２６は、送信側携帯電話装置１の制御を行なう。ＣＰＵ１５は、操作部１２を監視し、操作者のキー操作に基づく処理を行なう。またＣＰＵ１５は、操作部１２からの信号によって、メモリ１８からのプログラムの読出し、メモリ１８との各種データの送受信、カメラモジュール１３の起動および表示部１１へのデータの送信を行ない、送信側携帯電話装置１を制御する。またカメラモジュール１３が起動されている場合、ＣＰＵ１５は、カメラモジュール１３からの画像データを受信しメモリ１８に一時的に格納するとともに、表示部１１へ表示データを出力する。より詳細には、ＣＰＵ１５は、カメラモジュール１３から出力された画像データを表示データに変換し、表示部１１の表示画面に表示させる。このときの表示データは、カメラモジュール１３からの画像データのみではなく、その他の携帯電話装置固有の情報を含んでいる場合もある。また表示データは、ＳＤカードスロット１４内のＳＤカードから読み出される画像データであってもよい。ＣＰＵ１５は、操作部１２のシャッタキーの押下などのカメラ撮影操作を検出した場合は、カメラモジュール１３が出力する画像データをメモリ１８に記憶する。またＣＰＵ１５は、後述する姿勢画像２８の合成位置の選択を要求する位置選択要求画像が表示されるように、表示部１１を制御する。
【００５９】
合成画像生成部１６は、図１に示す受信側携帯電話装置２に送信すべき画像である送信画像２７と、送信画像２７における上下左右を表す姿勢画像２８とを合成し、合成画像２９を生成させる。より詳細には、合成画像生成部１６は、ＣＰＵ１５から入力される送信画像２７を表す画像信号と姿勢画像２８を表す画像信号とから、合成画像２９を表す画像信号を生成することによって合成画像２９を生成する。合成画像生成部１６は、合成画像生成手段に相当する。
【００６０】
本実施形態では、姿勢画像２８は、操作者から見たときの上下方向Ａに一致する表示部１１の短手方向Ｘにおける送信画像２７の上部に合成され、その姿勢画像２８が合成される部分が上部であることを示すタイトル帯として機能する。より詳細には、姿勢画像２８は、無地の背景に文字情報が記載される画像であり、送信画像２７の長手方向に帯状に延びる帯状画像内に文字を含む画像である。姿勢画像２８中の文字は、本実施形態では送信画像２７の内容を説明するために送信側携帯電話装置１の操作者である送信者が作成した任意のタイトルである。姿勢画像２８中の文字は、これに限定されず、たとえば送信者の氏名または送信側携帯電話装置１の電話番号やカメラ撮影日時などであってもよい。また姿勢画像２８は、文字を含まなくてもよく、たとえば文字が重畳されない帯状画像であってもよい。また姿勢画像２８は、本実施形態では送信画像２７の一部分に重畳されるように合成されるけれども、これに限定されず、たとえば送信画像２７に隣合うように合成されてもよい。また姿勢画像２８は、本実施形態では１つの送信画像２７に対して１つが付加される。
【００６１】
合成画像生成部１６によって生成された合成画像を表す画像信号は、ＣＰＵ１５によって取得される。ＣＰＵ１５は、合成画像２９を表す画像信号を通信制御部２２に出力するか、またはメモリ１８に一時的に格納した後通信制御部２２に出力し、アンテナ１９を介して送信部２０から受信側携帯電話装置２に送信させる。
【００６２】
位置選択部１７は、合成画像生成部１６による姿勢画像２８の合成位置を選択する。本実施形態において位置選択部１７は、操作者による操作部１２のキー操作の情報とメモリ１８に格納されているプログラムとに基づいて、姿勢画像２８の合成位置を選択し、合成位置情報としてＣＰＵ１５に出力する。ＣＰＵ１５は、入力される合成位置情報に基づいて、位置選択部１７によって選択された合成位置に姿勢画像２８が合成されるように、合成画像生成部１６を制御する。
【００６３】
位置選択部１７の選択に用いられる操作者による操作部１２のキー操作情報は、ＣＰＵ１５から入力される。ＣＰＵ１５は、姿勢画像の合成位置の選択を要求する位置選択要求画像が表示されるように表示部１１を制御し、位置選択要求画像が表示された状態における操作部１２の操作キーの押下などを検出することによって、どの操作キーが押下されたかなどの情報を位置選択部１７に出力する。位置選択要求画像を表す画像信号は、メモリ１８に格納されており、ＣＰＵ１５によってメモリ１８から読出される。
【００６４】
メモリ１８は、送信側携帯電話装置１を動作させるための動作プログラムおよびデータを格納する。メモリ１８に格納されるデータには、位置選択要求画像および後述する入力要求画像などを表す画像信号のデータ、カメラモジュール１３によって生成された画像信号のデータ、ならびに操作部１２によって入力された数字データおよび文字データなどが含まれる。メモリ１８は、たとえばＲＯＭ（Read Only Memory）またはＲＡＭ（Random 
Access Memory）などによって実現される。
【００６５】
アンテナ１９は、画像伝送のための画像信号または電話通信のための音声信号などの情報信号を含む電波を、基地局との間で送受信する。アンテナ１９は、たとえば伸縮自在なロッドアンテナによって実現される。送信部２０および受信部２１は、アンテナ１９に接続される。通信制御部２２は、送信部２０および受信部２１を制御する。
【００６６】
送信部２０は、高周波信号を変調する変調器と、変調器の出力を周波数シンセサイザの出力と混合して無線周波数に変換するミキサと、無線周波数を増幅する送信電力増幅器とを備える。送信部２０は、通信制御部２２を介してＣＰＵ１５から入力される画像信号などの情報信号を変調して増幅し、アンテナ１９を介して基地局に送信する。送信部２０における送信出力は、通信制御部２２を介してＣＰＵ１５から与えられる制御命令によって可変可能に調整される。受信部２１は、ＩＦ（Intermediate Frequency）増幅器および遅延検波回路または逆拡散回路を備える。受信部２１は、アンテナ１９を介して基地局からの電波を受信して復調して画像信号などの情報信号を取出し、ＣＰＵ１５に出力する。このように送信側携帯電話装置１は、画像データなどの情報を送信部２０によって送信し、また受信部２１によって受信することができる。
【００６７】
音声制御部２５は、受信部２１が復調した音声信号を変調して、レシーバ２３を介して音声を出力する。また音声制御部２５は、マイク２４を介して入力された音声を復調して、その復調された音声信号をＣＰＵ１５に出力する。送信側携帯電話装置１は、音声信号を含む電波をアンテナ１９で受信し、その音声信号に基づいてレシーバ２３から音声を出力し、マイク２４から入力された音声に基づいてアンテナ１９から音声信号を含む電波を送信するので、操作者は通話を行なうことができる。
【００６８】
表示信号生成部は、合成画像２９の上下方向Ｂにおける幅が表示部１１の表示画面の短手方向Ｘにおける幅に適するように、本実施形態ではさらに合成画像２９の上下方向Ｂにおける幅と左右方向における幅との比率が維持されるように、合成画像２９を表す画像信号を処理して表示信号を生成し、ＣＰＵ１５に出力する。表示部１１は、生成された表示信号に基づいて表示画面に画像を表示する。
【００６９】
送信側携帯電話装置１とともに画像伝送システム３を構成する受信側携帯電話装置２は、送信側携帯電話装置１と同様の構成を有するので、図１においては対応する部分に同一の参照符号を付して説明を省略するとともに、受信側携帯電話装置２の電気的構成を示すブロック図については図示およびその説明を省略する。また図１では、受信側携帯電話装置２のＳＤカードスロット１４については記載を省略する。
【００７０】
図１では、送信側携帯電話装置１が第２配置状態にあり、受信側携帯電話装置２が第１配置状態にある場合を示す。第１配置状態は、表示部１１の長手方向Ｙが操作者から見たときの上下方向Ａに一致する状態である。第２配置状態は、表示部１１の短手方向Ｘが操作者から見たときの上下方向Ａに一致する状態である。表示部１１の長手方向Ｙは、表示部１１の厚み方向Ｚおよび短手方向Ｘに略直交し、表示部１１の短手方向Ｘは、表示部１１の長手方向Ｙおよび厚み方向Ｚに略直交する。
【００７１】
本発明の第３の実施形態である画像伝送方法は、前述の第２の実施形態である画像伝送システム３によって実行される。図３は、画像伝送システム３に備わる本発明の第１の実施形態である送信側携帯電話装置１の制御部２６による画像送信動作の処理手順を示すフローチャートである。操作者が操作部１２を押下する操作などによって、表示部１１に表示される表示画像を送信する命令が操作部１２から入力されると、ステップａ０で処理が開始され、ステップａ１に進む。
【００７２】
表示部１１の表示画面に表示される画像（以後、表示画像と称する）の画像データは、制御部２６のＣＰＵ１５によってメモリ１８またはＳＤカードスロット１４内のＳＤカードから読出されて取得される。表示画像は、予め合成画像生成部１６によって生成され、メモリ１８またはＳＤカードに記憶されていた合成画像２９であってもよい。ＣＰＵ１５は、取得した画像を表す画像信号を表示信号生成部で表示信号に変換させて表示部１１に出力し、その表示信号に基づいて画像が表示されるように表示部１１を制御する。表示部１１は、ＣＰＵ１５から与えられる指令に基づいて、表示画像を表示する。
【００７３】
ステップａ１では、ＣＰＵ１５は、表示部１１に表示される表示画像に、姿勢画像２８を付加するか否かを判断する。より詳細には、ＣＰＵ１５は、メモリ１８に格納されているプログラムなどに基づいて、姿勢画像２８を付加するか否かを選択するための画像が表示されるように表示部１１を制御し、この状態における操作者による操作部１２の操作に基づいて、姿勢画像２８を付加するか否かを判断する。操作者は、操作部１２を操作することによって、姿勢画像２８を付加するか否かを選択することができる。ＣＰＵ１５によって、姿勢画像２８を付加すると判断されれば、ステップａ２に進み、姿勢画像２８を付加しないと判断されれば、ステップａ８に進む。
【００７４】
ステップａ２では、ＣＰＵ１５は、メモリ１８に格納されているプログラムなどに基づいて、姿勢画像２８の入力を要求する入力要求画像が表示されるように表示部１１を制御し、ステップａ３に進む。表示部１１は、ＣＰＵ１５から与えられる指令に基づいて、入力要求画像を表示する。本実施形態において入力要求画像は、操作者に対して、操作部１２の操作によって姿勢画像２８として付加する文字を入力するように要求する画像である。入力要求画像は、たとえば予めメモリ１８に記憶されＣＰＵ１５によって読出される複数の姿勢画像２８を含み、この複数の姿勢画像２８の中から、用いる姿勢画像２８を選択するように、操作者に対して操作部１２の操作を要求する画像であってもよい。ステップａ３では、ＣＰＵ１５は、操作部１２からの入力に基づいて姿勢画像２８を表す画像信号を取得し、ステップａ４に進む。
【００７５】
ステップａ４では、ＣＰＵ１５は、メモリ１８に格納されているプログラムなどに基づいて、姿勢画像の合成位置の選択を要求する位置選択要求画像が表示されるように表示部１１を制御し、ステップａ５に進む。表示部１１は、ＣＰＵ１５から与えられる指令に基づいて、位置選択要求画像を表示する。位置選択要求画像は、たとえば予めメモリ１８に記憶されＣＰＵ１５によって読出されて表示部１１の種々の位置に表示される複数の画像（以後、位置規定画像と称する）を含み、これらの位置規定画像の中から、姿勢画像２８を合成しようとする位置に表示される位置規定画像を選択するように、操作者に対して操作部１２の操作を要求する画像である。ステップａ５では、ＣＰＵ１５は、操作部１２からの入力に基づいて、姿勢画像２８の合成位置情報を取得し、ステップａ６に進む。
【００７６】
ステップａ６では、ＣＰＵ１５は、選択された合成位置において姿勢画像２８が表示画像である送信画像２７に合成されて合成画像が生成されるように合成画像生成部１６を制御し、ステップａ７に進む。合成画像生成部１６は、ＣＰＵ１５から与えられる指令に基づいて、送信画像２７と姿勢画像２８とを合成し、合成画像２９を生成する。ステップａ６は、合成画像生成ステップに相当する。本実施形態では、ＣＰＵ１５は、生成された合成画像を表す画像信号を表示信号生成部に出力して表示信号に変換させて表示部１１に出力し、生成された合成画像が表示部１１に表示されるように表示部１１を制御する。これによって送信側携帯電話装置１の操作者は、送信される合成画像を表示部１１にて確認することができる。ステップａ７では、ＣＰＵ１５は、生成された合成画像２９を表す画像信号を取得し、ステップａ８に進む。
【００７７】
ステップａ８では、ＣＰＵ１５は、取得した合成画像２９を表す画像信号の送信命令を通信制御部２２に出力する。通信制御部２２は、合成画像を表す画像信号が受信側携帯電話装置２に送信されるように送信部２０を制御し、ステップａ９に進む。送信部２０は、通信制御部２２から与えられる指令に基づいて、合成画像２９を表す画像信号を受信側携帯電話装置２に送信する。ステップａ８は、送信ステップに相当する。ステップａ９において、一連の処理を終了する。
【００７８】
図４は、受信側携帯電話装置２の制御部２６による画像受信動作の処理手順を示すフローチャートである。受信側携帯電話装置２では、受信部２１から通信制御部２２を介してＣＰＵ１５に情報信号が入力されると、ステップｂ０で処理が開始され、ステップｂ１に進む。
【００７９】
ステップｂ１では、受信側携帯電話装置２のＣＰＵ（以後、受信側ＣＰＵとも称する）１５は、受信部２１が受信した情報信号（以後、受信信号とも称する）が画像を表す画像信号を含むか否かを判断する。受信信号が画像信号を含むと判断されれば、ステップｂ２に進み、画像信号を含まないと判断されれば、ステップｂ４に進み、画像受信動作以外の受信動作、たとえば通話動作に移る。
【００８０】
ステップｂ２では、受信側ＣＰＵ１５は、画像信号を取得し、ステップｂ３に進む。ステップｂ２は、受信ステップに相当する。ステップｂ３では、受信側ＣＰＵ１５は、受信した画像信号を表示信号生成部に出力し、ステップｓ４に進む。表示信号生成部は、入力された画像信号を表示部１１の表示画面の寸法などに適するように変換し、表示信号を生成し、受信側ＣＰＵ１５に出力する。ステップｂ４では、受信側ＣＰＵ１５は、生成された表示信号を表示部１１に出力し、表示信号に基づいて画像が表示されるように表示部１１を制御し、ステップｂ５に進む。表示部１１は、受信側ＣＰＵ１５から与えられる指令に基づいて、受信した画像信号に基づく画像を表示する。ステップｂ４は、画像表示ステップに相当する。ステップｂ５において、一連の処理を終了する。
【００８１】
たとえば図１に示すように送信側携帯電話装置１が第２配置状態で使用され、受信側携帯電話装置２が第１配置状態で使用される場合、第２配置状態にある送信側携帯電話装置１から送信される送信画像２７が、第１配置状態にある受信側携帯電話装置２で受信されることになる。第１配置状態では表示部１１の長手方向Ｙが操作者から見たときの上下方向Ａになっているのに対し、第２配置状態では表示部１１の短手方向Ｘが操作者から見たときの上下方向Ａになっているので、受信側携帯電話装置２の操作者は、送信画像２７を９０°角変位された状態で見ることになる。
【００８２】
たとえば送信画像２７が図１に示すように「下降する飛行機」をカメラモジュール１３で撮影した画像である場合、送信側携帯電話装置１の操作者は、送信画像２７の上下方向Ｂを鉛直方向Ｇであると認識している。これに対し、受信側携帯電話装置２の操作者は、送信画像２７には鉛直方向Ｇを示すことのできる被写体、たとえばビルなどの建物が含まれていないので、送信画像２７を見ただけでは、鉛直方向Ｇがどの方向であるのか、すなわち送信画像２７における上下左右がどこかを確認することはできない。このように送信画像２７のみによっては、操作者が送信画像２７における上下左右を認識することができない場合、受信側携帯電話装置２の操作者は、送信画像２７における上下左右を誤って認識し、送信画像２７を上下左右の異なる画像として認識するおそれがある。たとえば、図１に示す「下降する飛行機」の画像が送信画像２７である場合、受信側携帯電話装置２の操作者は、送信画像２７を「急上昇する飛行機」の画像と誤認するおそれがある。
【００８３】
本実施形態では、送信側携帯電話装置１は、送信画像２７と送信画像２７における上下左右を表す姿勢画像２８とが合成された合成画像２９を表す画像信号を受信側携帯電話装置２に送信するので、受信側携帯電話装置２の表示部１１の表示画面には姿勢画像２８を含む合成画像２９が受信画像３０として表示される。合成画像２９には姿勢画像２８が含まれているので、受信側携帯電話装置２の操作者は、送信画像２７における上下左右を姿勢画像２８によって確認することができる。これによって受信側携帯電話装置２の操作者が、送信画像２７を上下左右の異なる画像として認識することを防止することができる。
【００８４】
たとえば、送信画像２７が前述の図１に示す「下降する飛行機」の画像である場合であっても、姿勢画像２８、より詳細には「下降する飛行機」という文字情報を含む姿勢画像２８を送信画像２７と合成して合成画像２９として送信することによって、受信側携帯電話装置２の操作者は、送信画像２７における上下左右を確認することができる。これによって、受信側携帯電話装置２の操作者に対して、飛行機の頭部が尾翼よりも鉛直方向Ｇ下方にあることをより確実に理解させることができるので、送信画像２７が「下降する飛行機」の画像であることをより確実に伝えることができる。したがって、受信側携帯電話装置２の操作者が、送信画像２７を「急上昇する飛行機」の画像であると誤認することをより確実に防止することができる。
【００８５】
このように本実施形態によれば、送信側携帯電話装置１の操作者は、受信側携帯電話装置２の操作者に対して、送信画像２７における上下左右を誤りなく伝えることができる。したがって、たとえば前述の図１に示す「下降する飛行機」の画像のように上下関係のはっきりしない画像を送信する場合であっても、姿勢画像２８を付加せずに送信する場合に比べて、受信側携帯電話装置２の操作者に対して、送信画像２７の内容をより確実に伝えることができる。これによって、送信側携帯電話装置１の操作者である送信者と、受信側携帯電話装置２の操作者である受信者との間において、より容易に意思の疎通を図ることができる。
【００８６】
また本実施形態では、姿勢画像２８は位置選択部１７によって選択される位置に合成されるので、送信側携帯電話装置１を操作する操作者は、送信画像２７の任意の位置に姿勢画像２８を合成させることができる。これによって、送信画像２７の中の送信したい部分、たとえば前述の図１に示す飛行機の部分に、姿勢画像２８が合成されることを防止することができる。したがって、受信側携帯電話装置２の表示部１１の表示画面に表示させるときに、送信画像２７の中の送信したい部分が姿勢画像２８によって隠されることを防止することができるので、受信側携帯電話装置２の操作者に対して、送信画像２７の中の送信したい部分を見せることができる。これによって、受信側携帯電話装置２の操作者に対して、送信画像２７の内容をより確実に伝えることができる。
【００８７】
また本実施形態では、姿勢画像２８は、送信画像２７の内容を説明する文字情報を含み、送信画像２７の題名（タイトル）を表すタイトル帯として機能する。したがって、受信側携帯電話装置２の操作者は、姿勢画像２８が送信画像２７の内容を説明する文字情報が含まれない場合に比べて、送信画像２７がどういう画像であるのかをより確実に理解することができる。
【００８８】
また本実施形態では、姿勢画像２８は、無地の背景に文字情報が記載される画像である。姿勢画像２８は、送信画像２７を背景として文字情報が重畳された画像であってもよいが、本実施形態のように無地の背景に文字情報が記載される画像である方が好ましい。姿勢画像２８が、送信画像２７を背景として送信画像２７に文字情報が重畳された画像である場合、送信画像２７の色などによっては、受信側携帯電話装置２の操作者が文字情報を見にくくなることがある。本実施形態のように姿勢画像２８として無地の背景に文字情報が記載される画像を用いることによって、姿勢画像２８が送信画像２７を背景として文字情報が重畳された画像である場合に比べて、受信側携帯電話装置２の操作者は、より容易に姿勢画像２８に含まれる文字情報を認識することができる。したがって、本実施形態のように送信画像２７がどのような画像であるかを説明する文字情報を姿勢画像２８に含ませる場合に、受信側携帯電話装置２の操作者が送信画像２７を上下左右の異なる画像として認識することをより確実に防止することができる。
【００８９】
送信側携帯電話装置１は、少なくとも合成画像生成部１６による処理、本実施形態では合成画像生成部１６および位置選択部１７による処理を行なうプログラムをコンピュータに実行させることによって実現される。この場合、少なくとも合成画像生成部１６、本実施形態では合成画像生成部１６および位置選択部１７は、前述の第３の実施形態である画像伝送方法における画像送信動作の処理手順を実行するプログラムによって実現される。本実施形態では、合成画像生成部１６および位置選択部１７による処理を行なうプログラムを含むプログラムが、コンピュータを第１の実施形態の画像送信装置である送信側携帯電話装置１として機能させるためのプログラムに相当する。また本実施形態においてコンピュータは、ＣＰＵ１５を含む制御部２６を含んで構成される。コンピュータを画像送信装置として機能させるためのプログラムは、記録媒体、本実施形態ではメモリ１８に、コンピュータで読取可能に格納されている。記録媒体は、メモリ１８に限定されず、外部記憶装置、たとえばＳＤカードなどであってもよい。記録媒体に格納されているプログラムは、ＣＰＵ１５がアクセスして実行可能な構成であってもよく、またＣＰＵ１５がプログラムを読出し、図示しないプログラム記録領域にダウンロードして、プログラムを実行する構成であってもよい。この場合、ダウンロード用のプログラムは、予めメモリ１８に格納しておく。
【００９０】
以上のように本実施形態の送信側携帯電話装置１は、位置選択部１７を有するけれども、位置選択部１７を有しない構成であってもよい。送信側携帯電話装置１が位置選択部１７を有しない構成の場合、合成画像生成部１６は、たとえば予め定められる位置に姿勢画像２８が合成されるようにＣＰＵ１５によって制御される。このように位置選択部１７を設けない構成とすることもできるが、本実施形態のように位置選択部１７を設ける方が好ましい。位置選択部１７を設けることによって、前述のように送信側携帯電話装置１を操作する操作者が、送信画像２７の送信したい部分に姿勢画像２８が重畳されないように姿勢画像２８を合成させることができるので、位置選択部１７が設けられない場合に比べて、受信側携帯電話装置２の操作者に対して、送信画像２７の内容をより確実に伝えることができる。
【００９１】
また本実施形態の送信側携帯電話装置１では、姿勢画像２８は、送信画像２７の上部に合成される。姿勢画像２８の合成位置は、送信画像２７の上部に限定されず、送信画像２７の上下左右のいずれの位置であってもよいが、図１に示すように送信画像２７の送信したい部分が送信画像２７の中央部付近にある場合には、送信画像２７の端部、より詳細には上端部、下端部、左端部または右端部であることが好ましい。このように姿勢画像２８を送信画像２７の端部に合成することによって、送信側携帯電話装置１の操作者が送信画像２７の中の送信したいと思っている部分が、姿勢画像２８で重畳されて隠れることを防ぐことができるので、受信側携帯電話装置２の操作者に対して、送信画像２７の内容をより確実に伝えることができる。また図１に示す送信画像２７とは異なり、送信画像２７の送信したい部分が送信画像２７の端部にあって中央部にない場合には、姿勢画像２８は、送信画像２７の中央部に合成されてもよい。
【００９２】
また本実施形態において姿勢画像２８は、１つの送信画像２７に対して１つが合成される。姿勢画像２８は、１つの送信画像２７に対して２つ以上が付加されてもよいけれども、１つの送信画像２７に対して２つ以上の姿勢画像２８を付加しようとすると、送信画像２７の中の送信したい部分に姿勢画像２８が重畳されやすくなるので、本実施形態のように１つの送信画像２７に対しては、１つの姿勢画像２８を合成することが好ましい。
【００９３】
本実施形態の受信側携帯電話装置２は、送信側携帯電話装置１と同様の構成を有するので、送信側携帯電話装置１と同様に画像送信装置として使用されてもよい。画像受信装置である受信側携帯電話装置としては、合成画像生成部１６および位置選択部１７を有しない携帯電話装置を用いてもよい。
【００９４】
図５は本発明の第４の実施形態である受信側携帯電話装置４を含む画像伝送システム５の構成を簡略化して示す正面図であり、図６は本発明の第４の実施形態である受信側携帯電話装置４の電気的構成を示すブロック図である。受信側携帯電話装置４は、画像受信装置に相当する。受信側携帯電話装置４は、前述の第１の実施形態である送信側携帯電話装置１とともに、本発明の第５の実施形態である画像伝送システム５を構成する。受信側携帯電話装置４は、第１の実施形態である送信側携帯電話装置１と類似し、対応する部分については同一の参照符号を付して説明を省略する。図５では、図１に示すカメラモジュール１３およびＳＤカードスロット１４については記載を省略する。また図６では、図２に示す合成画像生成部１６および位置選択部１７については記載を省略する。
【００９５】
第４の実施形態である受信側携帯電話装置４において注目すべきは、姿勢信号取得部３１および表示信号生成部３２を有することである。
【００９６】
姿勢信号取得部３１は、送信側携帯電話装置１から送信されて受信部２１によって受信され、ＣＰＵ１５を介して入力される合成画像３５を表す画像信号と合成画像３５における上下左右を示す姿勢情報を表す姿勢信号とを含む信号から、姿勢信号を取得し、ＣＰＵ１５に出力する。姿勢信号取得部３１は、姿勢信号取得手段に相当する。
【００９７】
本実施形態において表示信号生成部３２は、姿勢信号取得部３１で取得される姿勢信号に基づいて、表示手段である表示部１１の表示画面における上下左右と合成画像３５における上下左右とが一致して表示されるように、受信した合成画像３５を表す画像信号から表示信号を生成する。たとえば、図５に示すように受信側携帯電話装置２が第１配置状態で使用される場合、表示信号生成部３２は、合成画像３５の上下方向Ｂが表示部１１の長手方向Ｙに一致する状態で表示されるように、表示信号を生成する。より詳細には、姿勢画像３４は送信画像３３の上部に付加されているので、表示信号生成部３２は、姿勢画像３４が表示部１１の上部に表示されるように、表示信号を生成する。表示信号生成部３２は、表示信号生成手段に相当する。
【００９８】
このような受信側携帯電話装置４とともに画像伝送システム５を構成する場合、送信側携帯電話装置１の送信部２０は、合成画像３５を表す画像信号とともに、合成画像３５における上下左右を示す姿勢情報を表す姿勢信号を送信する。
【００９９】
本発明の第６の実施形態である画像伝送方法は、前述の第５の実施形態である画像伝送システム５によって実行される。本実施形態の画像伝送方法において、送信側携帯電話装置１の制御部２６による画像送信動作は、前述の図３に示すステップａ８において画像信号とともに姿勢信号を送信すること以外は、前述の第３の実施形態である画像伝送方法における画像送信動作と同様に行なわれるので、画像送信動作の処理手順を示すフローチャートを省略するとともにその説明を省略する。
【０１００】
図７は、画像伝送システム５に備わる本発明の第４の実施形態である受信側携帯電話装置４の制御部２６による画像受信動作の処理手順を示すフローチャートである。受信側携帯電話装置４では、受信部２１から通信制御部２２を介してＣＰＵ１５に信号が入力されると、ステップｃ０で処理が開始され、ステップｃ１に進む。
【０１０１】
ステップｃ１では、受信側携帯電話装置４のＣＰＵ（以後、受信側ＣＰＵとも称する）１５は、受信部２１が受信した情報信号である受信信号が画像を表す画像信号を含むか否かを判断する。受信信号が画像信号を含むと判断されれば、ステップｃ２に進み、画像信号を含まないと判断されれば、ステップｃ８に進み、画像受信動作以外の受信動作、たとえば通話動作に移る。
【０１０２】
ステップｃ２では、受信側ＣＰＵ１５は、画像信号を含む受信信号を取得し、ステップｃ３に進む。ステップｃ２は、受信ステップに相当する。ステップｃ３では、受信側ＣＰＵ１５は、受信信号が姿勢信号を含んでいるか否かを判断することによって、合成画像３５を受信したか否かを判断する。受信信号が姿勢信号を含んでいると判断されれば、ステップｃ４に進み、姿勢信号を含んでいないと判断されれば、ステップｃ７に進む。
【０１０３】
ステップｃ４では、受信側ＣＰＵ１５は、受信信号を姿勢信号取得部３１に出力し、受信信号から姿勢信号を取得するように、姿勢信号取得部３１を制御し、ステップｃ５に進む。姿勢信号取得部３１は、受信側ＣＰＵ１５から与えられる指令に基づいて、受信信号から姿勢信号を取得し、受信側ＣＰＵ１５に出力する。ステップｃ４は、姿勢信号取得ステップに相当する。
【０１０４】
ステップｃ５では、受信側ＣＰＵ１５は、姿勢信号取得部３１から入力される姿勢信号と合成画像３５を表す画像信号（以後、合成画像信号とも称する）とを表示信号生成部３２に出力し、姿勢信号に基づいて、合成画像信号から表示信号を生成するように表示信号生成部３２を制御し、ステップｃ６に進む。表示信号生成部３２は、受信側ＣＰＵ１５から与えられる指令に基づいて、表示部１１の表示画面における上下左右と合成画像３５における上下左右とが一致して表示されるように、合成画像信号から表示信号を生成し、受信側ＣＰＵ１５に出力する。
【０１０５】
本実施形態では、送信側携帯電話装置１から送信される合成画像３５の画像信号は横長のデータ構成で伝送されて受信側携帯電話装置４に受信される。受信側携帯電話装置４の表示部１１における画像の表示姿勢は、表示部１１の長手方向Ｙが操作者に対する上下方向Ａに一致する姿勢であるので、表示部１１の表示画面は縦長である。したがって表示信号生成部３２は、たとえば受信した合成画像３５を表す画像信号から、合成画像３５の左端部および右端部を表す画像信号を削除して、縦長構成の表示信号を生成する。このように合成画像３５の一部分を表す画像信号を削除して表示信号を生成するように表示信号生成部３２が構成される場合、姿勢画像３４が削除されるおそれがあるが、残余の姿勢画像３４によって合成画像３５の上下左右が認識できる程度であれば、姿勢画像３４は部分的に削除されてもよい。たとえば姿勢画像３４に文字情報が含まれる場合、残余の姿勢画像３４によって合成画像３５の上下左右が認識できれば、文字情報は削除されてもよい。受信側携帯電話装置４の操作者が、削除された文字情報を確認したい場合には、文字情報が削除されずに合成画像３５が表示されるように表示部１１の表示画面を変更すればよい。また姿勢画像３４に含まれる文字情報が削除されないように、たとえば姿勢画像３４から文字領域を抽出して文字領域以外の部分の合成画像３５を削除して表示信号を生成するように表示信号生成部３２を構成してもよい。
【０１０６】
表示信号生成部３２による表示信号の生成方法はこれに限定されるものではない。たとえば、表示信号生成部３２は、受信した合成画像信号の合成画像３５の上方および下方に相当する部分に、新たに画像信号を追加することによって、縦長構成の表示信号を生成する。新たに追加する画像信号としては、たとえば黒色または白色などの送信画像３３と識別可能な色を有する帯状画像などの予め定められる色および形状の画像を表す画像信号が挙げられる。
【０１０７】
ステップｃ６では、受信側ＣＰＵ１５は、表示信号生成部３２で生成された表示信号を表示部１１に出力し、生成された表示信号に基づいて画像が表示されるように表示部１１を制御し、ステップｃ８に進む。表示部１１は、受信側ＣＰＵ１５から与えられる指令に基づいて、生成された表示信号に基づく画像を表示する。このようにして受信側ＣＰＵ１５は、姿勢信号に基づいて、表示部１１の表示画面における上下左右と合成画像３５における上下左右とが一致するように、表示部１１の表示画面に合成画像３５を表示させる。
【０１０８】
また前述のステップｃ３で受信信号に姿勢信号が含まれていないと判断された場合には、ステップｃ７において、受信側ＣＰＵ１５は、受信した画像信号を表示信号生成部３２に出力し、画像信号から表示信号を生成するように表示信号生成部３２を制御し、ステップｃ６に進む。表示信号生成部３２は、受信側ＣＰＵ１５から与えられる指令に基づいて、画像の寸法が表示部１１の表示画面の寸法に適するように画像信号を処理して表示信号を生成し、受信側ＣＰＵ１５に出力する。ステップｃ６では、受信側ＣＰＵ１５は、表示信号生成部３２で生成された表示信号を表示部１１に出力し、生成された表示信号に基づいて画像が表示されるように表示部１１を制御し、ステップｃ８に進む。表示部１１は、受信側ＣＰＵ１５から与えられる指令に基づいて、受信した画像信号に基づく画像を表示する。ステップｃ８において、一連の処理が終了する。
【０１０９】
送信側携帯電話装置４は、少なくとも姿勢信号取得部３１による処理、本実施形態では姿勢信号取得部３１および表示信号生成部３２による処理を行なうプログラムをコンピュータに実行させることによって実現される。この場合、少なくとも姿勢信号取得部３１、本実施形態では姿勢信号取得部３１および表示信号生成部３２は、前述の第５の実施形態である画像伝送方法における画像受信動作の処理手順を実行するプログラムによって実現される。本実施形態では、姿勢信号取得部３１および表示信号生成部３２による処理を行なうプログラムを含むプログラムが、コンピュータを第４の実施形態の画像受信装置である受信側携帯電話装置４として機能させるためのプログラムに相当する。また本実施形態においてコンピュータは、ＣＰＵ１５を含む制御部２６を含んで構成される。コンピュータを画像受信装置として機能させるためのプログラムは、記録媒体、本実施形態ではメモリ１８に、コンピュータで読取可能に格納されている。記録媒体は、メモリ１８に限定されず、外部記憶装置、たとえばＳＤカードなどであってもよい。記録媒体に格納されているプログラムは、ＣＰＵ１５がアクセスして実行可能な構成であってもよく、またＣＰＵ１５がプログラムを読出し、図示しないプログラム記録領域にダウンロードして、プログラムを実行する構成であってもよい。この場合、ダウンロード用のプログラムは、予めメモリ１８に格納しておく。
【０１１０】
以上のように本実施形態では、受信側携帯電話装置４は、合成画像３５を表す画像信号と合成画像３５における上下左右を示す姿勢情報を表す姿勢信号とを含む信号を受信すると、姿勢信号取得部３１によって取得した姿勢信号に基づいて、表示部１１の表示画面における上下左右と合成画像３５における上下左右とが一致するように、表示部１１の表示画面に合成画像３５を表示する。これによって受信側携帯電話装置４では、操作者に対する表示部１１の表示画面における上下方向Ａが合成画像３５における上下方向Ｂに一致することになるので、前述の図１に示すように表示部１１の表示画面における上下左右と合成画像２９における上下左右とが一致せず、操作者に対する表示部１１の表示画面における上下方向Ａが合成画像２９における上下方向Ｂに一致しない場合に比べて、受信側携帯電話装置４の操作者に対して、送信画像２７における上下左右をより容易に認識させることができる。したがって、受信側携帯電話装置４の操作者が、送信画像３３を上下左右の異なる画像として認識することをより確実に防止することができる。
【０１１１】
また本実施形態では、送信側携帯電話装置１から合成画像３５が送信されるので、受信画像３６は合成画像３５であり、姿勢画像３４を含む。したがって受信側携帯電話装置４の操作者に対して、送信画像３３における上下左右を誤りなく伝えることができる。
【０１１２】
受信側携帯電話装置４の受信画像３６が送信画像３３のみであると、表示部１１の表示画面における上下左右と送信画像３３における上下左右とが一致するように送信画像３３が表示されたとしても、受信側携帯電話装置４の操作者は、送信画像３３における上下左右を確認することができないので、送信画像３３を上下左右の異なる画像として認識するおそれがある。たとえば図１２に示すように送信側携帯電話装置６１から「下降する飛行機」の画像が送信されて受信側携帯電話装置６２に受信される場合、表示部６３の表示画面における上下左右と受信画像６４における上下左右とが一致するように受信画像６４が表示されたとしても、受信側携帯電話装置６２の操作者は、受信画像６４における上下左右を取違え、受信画像６４を「急上昇する飛行機」の画像であると認識するおそれがある。
【０１１３】
本実施形態では、受信画像３６は送信画像３３とともに姿勢画像３４を含むので、受信側携帯電話装置４の操作者は、送信画像３３における上下左右を認識することができる。したがって受信側携帯電話装置４の操作者が、送信画像３３を上下左右の異なる画像として認識することを防止することができる。
【０１１４】
以上のように本実施形態では、送信側携帯電話装置１から送信される合成画像３５は、上下方向Ｂが表示部１１の短手方向Ｘと一致する画像であるけれども、これに限定されず、たとえば上下方向Ｂが表示部１１の長手方向Ｙと一致する画像であってもよい。この場合、合成画像３５を表す合成画像信号は縦長構成であるので、受信した合成画像信号に基づいて表示される画像における上下左右は、表示部１１の表示画面における上下左右に一致している。したがって表示信号生成部３２は、合成画像３５の寸法が表示部１１の表示画面の寸法に一致するように、合成画像３５が縮小または拡大されるように合成画像信号を処理し、表示信号を生成する。
【０１１５】
また受信側携帯電話装置４の制御部２６は、受信部２１によって合成画像３５でない画像を表す画像信号が受信された場合には、前述の図４に示すように第２の実施形態の画像伝送システム３に備わる受信側携帯電話装置２の制御部２６と同様の画像受信動作を行なう。また本実施形態の受信側携帯電話装置４は、送信側携帯電話装置１と同様の構成を有するので、送信側携帯電話装置１と同様に画像送信装置として使用されてもよい。画像送信装置として使用されない場合には、受信側携帯電話装置４は、合成画像生成部１６および位置選択部１７を有しなくてもよい。
【０１１６】
図８は本発明の第７の実施形態であるＰＤＡ６を含む画像伝送システム７の構成を簡略化して示す正面図である。ＰＤＡ６は、画像受信装置に相当する。ＰＤＡ６は、前述の第１の実施形態である送信側携帯電話装置１とともに、本発明の第８の実施形態である画像伝送システム７を構成する。図８では、見開き状態のＰＤＡ６を示す。見開き状態は、ＰＤＡ６が折畳まれていない状態である。ＰＤＡ６は、たとえば操作者が携帯して使用することが可能な携帯情報端末である。本実施形態のＰＤＡ６は、見開き状態において通信可能な携帯情報端末である。
【０１１７】
図８に示すように、ＰＤＡ６は、表示部４１および操作部４２を含んで構成される。ＰＤＡ６は、折畳み可能に構成される。本実施形態のＰＤＡ６は、表示部４１と操作部４２とが対向するように折畳まれた第１折畳み状態、および後述する図１０に示すように表示部４１の反対側の面と操作部４２の反対側の面とが対向するように折畳まれた第２折畳み状態のいずれの状態にも折畳み可能である。ＰＤＡ６は、第２折畳み状態においても使用可能である。またＰＤＡ６は、複数の姿勢で使用可能である。
【０１１８】
表示部４１は、後述する通信部４７で受信した画像および操作部４２によって入力された文字などの情報を表示画面に表示する。本実施形態において表示部４１は、略平板状であって、表示画面である厚み方向Ｚ一方側の表面が略矩形状である。表示部４１は、厚み方向Ｚ一方側の表面が操作者を臨むように配置されて使用される。表示部４１は、たとえばカラーＬＣＤで実現される。表示部４１は、表示手段に相当する。表示部４１は、ＰＤＡ６の姿勢に応じて、操作者から見たときの表示画面における上下左右（以後、表示部４１による画像の表示姿勢とも称する）を変更して表示可能である。表示部４１による画像の表示姿勢は、後述する図９に示す検出部５１によって選択される。
【０１１９】
操作部４２は、操作者による操作によって所定の情報を入力する。操作部４２は、たとえば、数字データ、文字データおよびＰＤＡ６への命令などを入力する複数のキーを有するキーボードによって実現される。操作部４２には、たとえば、ＰＤＡ６の電源をオンまたはオフする電源キーなどがある。
【０１２０】
図８では、ＰＤＡ６が第１配置状態にある場合を示す。第１配置状態は、表示部４１の短手方向Ｘが操作者から見たときの上下方向Ａとなる状態である。表示部４１の短手方向Ｘは、表示部４１の厚み方向Ｚおよびの長手方向Ｙに略直交し、表示部４１の長手方向Ｙは、表示部４１の短手方向Ｘおよび厚み方向Ｚに略直交する。図８に示すように第１配置状態でＰＤＡ６が使用される場合、操作者から見て、表示部４１は操作部４２よりも上方に位置する状態で使用される。この場合、表示部４１による画像の表示姿勢は、表示部４１の短手方向Ｘが操作者から見たときの上下方向Ａに一致する姿勢となる。また図８では、送信側携帯電話装置１が第１配置状態で使用される場合を示す。
【０１２１】
図９は、本発明の第７の実施形態であるＰＤＡ６の電気的構成を示すブロック図である。図９に示すように、ＰＤＡ６は、表示部４１、操作部４２、ＣＰＵ４３、姿勢信号取得部４４、表示信号生成部４５、メモリ４６、通信部４７、通信制御部４８および検出部５１を含んで構成される。通信部４７は、送信部４９と受信部５０とを含む。ＣＰＵ４３および通信制御部２２は、制御部５２を構成する。制御部５２は、制御手段に相当する。
【０１２２】
検出部５１は、表示部４１による画像の表示姿勢を選択する。検出部５１は、ＰＤＡ６の配置方向を検出する。検出部５１は、たとえば重力センサによって実現され、鉛直方向Ｇに対するＰＤＡ６の向きを検出する。また検出部５１は、たとえば操作者による操作部４２のキー操作を検出する。検出部５１は、検出された検出情報をＣＰＵ４３に与える。ＣＰＵ４３は、入力される検出情報とメモリ４６に格納されるプログラムに基づいて、表示部４１による画像の表示姿勢情報を取得する。
【０１２３】
姿勢信号取得部４４は、通信部４７の受信部５０で受信されＣＰＵ４３を介して入力される合成画像５５を表す画像信号を含む受信信号から、合成画像５５における上下左右を示す姿勢情報を表す姿勢信号を取得し、ＣＰＵ４３に出力する。姿勢信号取得部４４は、姿勢信号取得手段に相当する。
【０１２４】
表示信号生成部４５は、姿勢信号取得部４４で取得されＣＰＵ４３を介して入力される姿勢信号に基づいて、表示部４１の表示画面における上下左右と合成画像５５における上下左右とが一致して表示されるように、受信した合成画像５５を表す画像信号から表示信号を生成する。たとえば図８に示すようにＰＤＡ６が第１配置状態で使用される場合、表示部４１の表示画面の短手方向Ｘは操作者から見たときの上下方向Ａに一致するので、表示信号生成部４５は、合成画像５５における上下方向Ｂが表示部４１の表示画面の短手方向Ｘに一致して表示されるように、合成画像５５を表す画像信号から表示信号を生成する。本実施形態では、姿勢画像５４は送信画像５３の上部に合成されているので、表示信号生成部４５は、姿勢画像５４が操作者から見て表示部４１の表示画面の上部に表示されるように、合成画像５５を表す画像信号から表示信号を生成する。
【０１２５】
より詳細には、合成画像５５を表す合成画像信号は縦長の構成として送信されるが、ＰＤＡ６の表示部４１の表示画面は横長の構成であるので、表示信号生成部４５は、表示部４１の表示画面における上下左右と合成画像５５における上下左右とが一致するように、合成画像信号を横長の構成になるように処理し、表示信号を生成する。このように送信側携帯電話装置１から上下方向Ｂが表示部１１の長手方向Ｙに一致する合成画像５５が送信される場合、表示信号生成部４５は、合成画像５５の長手方向である上下方向Ｂを表示部４１の長手方向Ｙに一致させるのではなく、表示部４１の表示画面の上下左右と合成画像５５における上下左右とが一致するように、合成画像５５を表す画像信号から表示信号を生成する。
【０１２６】
また表示信号生成部４５は、合成画像５５の上下方向Ｂにおける幅が表示部４１の短手方向Ｘにおける表示画面の幅に適するように、合成画像５５が縮小または拡大されるように、合成画像５５を表す画像信号を処理する。本実施形態では、合成画像５５を表す画像信号は、合成画像５５の上下方向Ｂにおける幅と、上下方向Ｂに略直交する左右方向における幅との比率が維持されるように処理される。表示信号生成部４５は、表示信号生成手段に相当する。
【０１２７】
通信部４７は、たとえば無線通信可能なネットワークアダプタなどを備え、無線通信回線を介して受信部５０によって送信側携帯電話装置１から送信される画像信号などの情報信号を受信する。また通信部４７は、他のＰＤＡまたは携帯電話装置などの送信装置から送信される情報信号を受信部５０によって受信し、通信制御部４８を介してＣＰＵ４３に出力する。受信された画像信号などの情報信号は、ＣＰＵ４３を介してメモリ４６に格納される。また通信部４７は、通信制御部４８を介してＣＰＵ４３から入力される画像信号などの情報信号を送信部４９によって他のＰＤＡまたは携帯電話装置などの受信装置に送信する。通信制御部４８は、送信部４９および受信部５０などの通信部４７の各部を制御する。本実施形態のＰＤＡ６は、表示部４１の反対側の面と操作部４２の反対側の面とが対向するように折畳まれた第２折畳み状態においても、外部との送受信を行なうことができる。
【０１２８】
制御部５２は、ＰＤＡ６の制御を行なう。ＣＰＵ４３は、操作部４２を監視し、操作者のキー操作に基づく処理を行なう。またＣＰＵ４３は、検出部５１によって選択される表示姿勢で画像を表示するように、表示部４１を制御する。またＣＰＵ４３は、操作部４２からの信号によって、メモリ４６からのプログラムの読出し、メモリ４６との各種データの送受信および表示部４１へのデータの送信を行ない、ＰＤＡ６を制御する。メモリ４６は、ＰＤＡ６を動作させるための動作プログラムおよびデータを格納する。
【０１２９】
このようなＰＤＡ６とともに画像伝送システム７を構成する場合、送信側携帯電話装置１は、前述の第５の実施形態である画像伝送システム５における送信側携帯電話装置１と同様に、合成画像５５を表す画像信号とともに合成画像５５における上下左右を示す姿勢情報を表す姿勢信号を送信する。
【０１３０】
本実施形態のＰＤＡ６の制御部５２による画像受信動作は、前述の図７に示すフローチャートのステップｃ７において、表示部４１の表示画面の構成に合わせて表示信号を生成すること以外は、第４の実施形態である受信側携帯電話装置４の制御部２６による画像受信動作と同様の手順で行なわれる。
【０１３１】
本実施形態のＰＤＡ６は、合成画像５５を表す画像信号を受信すると、前述の実施の第５形態である受信側携帯電話装置４と同様に、姿勢信号取得部４４によって取得した姿勢信号に基づいて、表示部４１の表示画面における上下左右と合成画像５５における上下左右とが一致するように、受信した合成画像５５を表す画像信号から表示信号生成部４５によって表示信号を生成する。これによって合成画像５５における上下方向ＢをＰＤＡ６の操作者に対する表示部４１の表示画面における上下方向Ａに一致させることができるので、ＰＤＡ６の操作者は、ＰＤＡ６の姿勢を変更することなく、操作者に対する表示部４１の表示画面における上下方向Ａが合成画像５５における上下方向Ｂに一致した状態で合成画像５５を見ることができる。したがって、受信画像５６である合成画像５５における上下左右が表示部４１の表示画面における上下左右に一致していない場合、たとえば合成画像５５における上下方向Ｂが表示部４１の表示画面の短手方向Ｘに一致していない場合に比べて、ＰＤＡ６の操作者に対してより確実に送信画像５３における上下左右を伝えることができるので、ＰＤＡ６の操作者が、送信画像５３を上下左右の異なる画像として認識することをより確実に防止することができる。
【０１３２】
以上のように本実施形態では、ＰＤＡ６は、第１配置状態で使用されるけれども、図１０に示すように第２配置状態で使用されてもよい。図１０は、本発明の第７の実施形態であるＰＤＡ６の第２配置状態における構成を簡略化して示す正面図である。図１０では、表示部４１の反対側の面と操作部４２の反対側の面とが対向するように折畳まれた第２折畳み状態でＰＤＡ６が使用される場合を示す。第２配置状態は、表示部４１の長手方向Ｙが操作者から見たときの上下方向Ａとなる状態である。
【０１３３】
図１０に示すように第２配置状態でＰＤＡ６が使用される場合、表示部４１の表示画面の姿勢は、表示部４１の長手方向Ｙが操作者から見たときの上下方向Ａに一致する姿勢となる。前述の第１配置状態でＰＤＡ６が使用される場合、表示部４１は、受信画像５６の長手方向である上下方向Ｂが表示部４１の短手方向Ｘに一致する状態で受信画像５６が表示されるようにＣＰＵ４３によって制御される。これに対し、第２配置状態でＰＤＡ６が使用される場合、表示部４１は、受信画像５６の長手方向である上下方向Ｂが表示部４１の長手方向Ｙに一致する状態で受信画像５６が表示されるように、ＣＰＵ４３によって制御される。このように第１配置状態と第２配置状態とでは、表示部４１による画像の表示方向が変更される。
【０１３４】
ＰＤＡ６が第２配置状態で使用される場合、表示部４１の表示画面は縦長の構成であり、受信画像５６の長手方向である上下方向Ｂが表示部４１の長手方向Ｙに一致する状態で受信画像５６が表示されるようにＣＰＵ４３によって制御されるので、合成画像５５を表す画像信号は、縦長の構成のままでよく、表示信号生成部４５によって横長の構成になるように変換される必要はない。この場合、表示信号生成部４５は、合成画像５５の上下方向Ｂにおける幅が表示部４１の表示画面の長手方向Ｙにおける幅に適し、かつ合成画像５５の上下方向Ｂにおける幅と左右方向における幅との比率が維持されるように、合成画像５５を表す画像信号を処理して表示信号を生成し、ＣＰＵ４３に出力する。表示部４１は、生成された表示信号に基づいて表示画面に画像を表示する。
【０１３５】
ＰＤＡ６が第２配置状態で使用される場合においても、受信画像５６である合成画像５５は、姿勢画像５４を含むので、ＰＤＡ６の操作者は、姿勢画像５４によって送信画像５３における上下左右を確認することができる。したがって、ＰＤＡ６の操作者に対して、送信画像５３における上下左右を誤りなく伝えることができるので、ＰＤＡ６の操作者が送信画像５３を上下左右の異なる画像として認識することを防止することができる。
【０１３６】
ＰＤＡ６は、第２折畳み状態にある場合に限定されず、前述の図８に示す見開き状態において、たとえば操作者によって第２配置状態が選択された場合にも第２配置状態で使用される。この場合、制御部５２は、前述の第２折畳み状態において第２配置状態で使用される場合と同様の画像受信動作を行なう。
【０１３７】
以上の実施の第１〜第８形態では、画像送信装置として送信側携帯電話装置１が用いられるけれども、画像送信装置としては、携帯電話装置に限定されず、合成画像生成手段および送信手段を有する装置であれば、特に制限されずに用いることができる。たとえば、画像送信装置は、ＰＤＡなどの携帯電話装置以外の携帯端末装置であってもよく、またパーソナルコンピュータなどであってもよい。
【０１３８】
また画像受信装置としては、受信側携帯電話装置２もしくは４、またはＰＤＡ６が用いられるけれども、携帯電話装置およびＰＤＡに限定されず、受信手段および表示手段を有し、受信手段によって受信した画像データを表示手段に表示することのできる装置であれば、特に制限されずに用いることができる。たとえば、画像受信装置は、携帯電話装置およびＰＤＡ以外の携帯端末装置であってもよく、またパーソナルコンピュータなどであってもよい。
【０１３９】
本発明は、画像送信装置が携帯端末装置である場合、その中でも画像送信装置および画像受信装置のいずれもが携帯端末装置である場合に、特に効果を発揮する。携帯端末装置では、携帯端末装置がどのような姿勢であるかによって、表示画面における上下左右が変化するので、それに伴って、表示画面に表示される画像における上下左右も変化する。携帯端末装置から画像を送信するとき、送信画像を表示手段の表示画面に表示させて確認するが、送信画像を受信する画像受信装置における表示手段の表示画面の寸法および形状が、送信側の携帯端末装置における表示手段の表示画面の寸法および形状と一致しない場合が多いので、受信側の表示手段の表示画面における上下左右は、送信画像における上下左右と異なることが多い。また受信した画像信号を表示手段の表示画面にどのように対応させて表示するかは各画像受信装置によって異なり、中には操作者によって使用姿勢を選択することができ、それに伴って表示画面における上下左右が変更される携帯端末装置もある。このように携帯端末装置では、送信側と受信側とで表示画面の寸法および形状が一致せず、また表示画面における上下左右が一致していない場合が多い。このような場合であっても、送信側の携帯端末装置が本発明の画像送信装置であることによって、画像受信装置の操作者に対して、送信画像における上下左右を誤りなく伝えることができるので、画像受信装置の種類によらず、画像受信装置の操作者が、送信画像を上下左右の異なる画像として認識することを防止することができる。
【図面の簡単な説明】
【０１４０】
【図１】本発明の第１の実施形態である送信側携帯電話装置１を含む画像伝送システム３の構成を簡略化して示す正面図である。
【図２】本発明の第１の実施形態である送信側携帯電話装置１の電気的構成を示すブロック図である。
【図３】画像伝送システム３に備わる本発明の第１の実施形態である送信側携帯電話装置１の制御部２６による画像送信動作の処理手順を示すフローチャートである。
【図４】受信側携帯電話装置２の制御部２６による画像受信動作の処理手順を示すフローチャートである。
【図５】本発明の第４の実施形態である受信側携帯電話装置４を含む画像伝送システム５の構成を簡略化して示す正面図である。
【図６】本発明の第４の実施形態である受信側携帯電話装置４の電気的構成を示すブロック図である。
【図７】画像伝送システム５に備わる本発明の第４の実施形態である受信側携帯電話装置４の制御部２６による画像受信動作の処理手順を示すフローチャートである。
【図８】本発明の第７の実施形態であるＰＤＡ６を含む画像伝送システム７の構成を簡略化して示す正面図である。
【図９】本発明の第７の実施形態であるＰＤＡ６の電気的構成を示すブロック図である。
【図１０】本発明の第７の実施形態であるＰＤＡ６の第２配置状態における構成を簡略化して示す正面図である。
【図１１】従来技術による送信側携帯電話装置６１および受信側携帯電話装置６２の構成を簡略化して示す正面図である。
【図１２】従来技術による送信側携帯電話装置６１および受信側携帯電話装置６２の構成を簡略化して示す正面図である。
【符号の説明】
【０１４１】
１  送信側携帯電話装置
２，４  受信側携帯電話装置
３，５，７  画像伝送システム
６  ＰＤＡ
１１  表示部
１２  操作部
１３  カメラモジュール
１４  ＳＤカードスロット
２７  送信画像
２８  姿勢画像
２９  合成画像
【図１】
2007295303.tif 000003
【図２】
2007295303.tif 000004
【図３】
2007295303.tif 000005
【図４】
2007295303.tif 000006
【図５】
2007295303.tif 000007
【図６】
2007295303.tif 000008
【図７】
2007295303.tif 000009
【図８】
2007295303.tif 000010
【図９】
2007295303.tif 000011
【図１０】
2007295303.tif 000012
【図１１】
2007295303.tif 000013
【図１２】
2007295303.tif 000014